(57)【要約】【課題】            第１に地金やスラグが付着・堆積し難いインスペクションドアを提供することにある。第２にインスペクションドアに十分大きな開口部を設け、その開口部を通じて測温、サンプリング、ダーツ投入等の作業を安全かつ効率的に行うことができるインスペクションドアを提供する。【解決手段】        本発明に係る転炉のインスペクションドアは、転炉側の面に永冷パネルが備えられるとともに作業用開口部が備えられたインスペクションドア本体と、該作業用開口部に嵌合し転炉側の面に水冷パネルを備えた片開きドアと、該片開きドアが開かれた状態において前記作業用開口部前面に移動可能なスライドドアと、を有してなる。【選択図】          図３
2005264207.tif 000002
【特許請求の範囲】
【請求項１】
転炉側の面に水冷パネルが備えられるとともに作業用開口部が備えられたインスペクションドア本体と、該作業用開口部に嵌合し転炉側の面に水冷パネルを備えた片開きドアと、該片開きドアが開かれた状態において前記作業用開口部前面に移動可能なスライドドアと、を有してなることを特徴とする転炉インスペクションドア。
【請求項２】
水冷パネルは角パイプを密着配設して転炉に向き合う面が面一に構成されてなるもので
あることを特徴とする請求項１に記載の転炉インスペクションドア。
【請求項３】
スライドドアに観察用窓を取り付けたことを特徴とする請求項１又は２に記載の転炉インスペクションドア。
【請求項４】
インスペクションドア本体に振動負荷を与える加振装置を備えてなることを特徴とする
請求項１〜３のいずれかに記載の転炉インスペクションドア。
【発明の詳細な説明】
【技術分野】
【０００１】
本発明は鋼用転炉、とりわけ底吹き転炉インスペクションドアに係り、特に測温、サンプリング、スラグストッパ投入用の開口部を設けた転炉インスペクションドアに関する。
【背景技術】
【０００２】
転炉の操業中には転炉炉口から多量の粉塵やガスが放出されるので、炉体の周囲には一般に防護壁が設けられ、前面部にはチャージングドアが、後面部にはインスペクションドアが設けられている。このインスペクションドアは転炉の出鋼時には開放され、吹練時には閉鎖状態におかれるものであるが、それには開閉可能な開口部が設けられ測温、サンプリング、スラグストッパ投入等の便が図られている。
【０００３】
しかし、このインスペクションドアに関しては以下のような問題がある。第一に、転炉が底吹き転炉である場合には転炉の傾動時に地金やスラグが付着することによりインスペクションドアの開閉が困難になるという問題がある。第二に、測温等のために設けられた開口部は地金の付着の防止等のために大きくできないから、たとえばいわゆるダーツ式のスラグストッパを投入する転炉では、測温、サンプリング用とは別にスラグストッパ投入用の開閉機構を設けなければならないという問題がある。
【０００４】
このような問題を解決するため、特許文献１には、付着金属により集塵装置の固定壁に固着したインスペクションドアを引き離すための機構をインスペクションドアのスライド機構とは別個に併設した転炉集塵装置が提案されている。また、特許文献２には、インスペクションドアを含む溶融金属製錬設備のドアに水冷パネルを設けたものが提案されている。
【０００５】
【特許文献１】特開2001−271114号公報
【特許文献１】特問2003−240445公報
【発明の開示】
【発明が解決しようとする課題】
【０００６】
しかし、特許文献１に記載の手段によるときは、付着金属によりインスペクションドアが固定壁に強固に固着しているとき、これを無理に引き剥がそうとするのでドアを変形し、また、ドアのスライド用油圧シリンダを損傷するおそれがある。一方、特許文献２の手段では、水冷パネルが新しい間は地金の付着を防止することができるが、水冷パネルの表面に疵が発生すると、その疵を起点として付着金属の範囲が拡大するという問題がある。さらにいずれの文献にも、測温やダーツ投入等を安全かつ効率的に行うことができるインスペクションドアは提案されていない。
【０００７】
本発明はこのような問題を解決するためになされたもので、その第１の課題は地金やスラグが付着・堆積し難いインスペクションドアを提供することである。第２の課題はインスペクションドアに十分大きな開口部を設け、その開口部を通じて測温、サンプリング、ダーツ投入等の作業を安全かつ効率的に行うことができるインスペクションドアを提供することである。
【課題を解決するための手段】
【０００８】
本発明に係る転炉のインスペクションドアは、転炉側の面に水冷パネルが備えられるとともに作業用開口部が備えられたインスペクションドア本体と、該作業用開口部に嵌合し転炉側の面に水冷パネルが備えられた片開きドアと、該片開きドアが開かれた状態において前記作業用開口部前面に移動可能なスライドドアと、を有してなる。上記発明において、水冷パネルは、角パイプを密着配設して転炉に向き合う面を面一にしてなるものであるのが好ましい。また、スライドドアには観察用窓が取り付けられているのが好ましく、インスペクションドアにはドア本体に振動負荷を与えることができる加振装置が備えられているのが好ましい。
【発明の効果】
【０００９】
本発明に係る転炉のインスペクションドアは、溶融金属やスラグが付着・堆積し難く、さらに、インスペクションドアに設けた開口部を通じて測温、サンプリング、ダーツ投入等の作業を安全かつ効率的に行うことができる。また、スライドドアに設けた観察用窓を通して転炉の状態を安全かつ簡易に行うことができる。
【発明を実施するための最良の形態】
【００１０】
図１〜３に示すように、転炉100の排出側（出鋼作業床側）にインスペクションドア1が設けられ、インスペクションドア1のインスペクションドア本体10はローラ56を介して防護壁110に固定されたレール55に吊り下げられている。このインスペクションドア本体10は、モータ50によりレール55に沿って矢印Ａ方向に移動可能になっている。また、このインスペクションドア本体10は、防護壁110との間に隙間を生じさせないようにシリンダ80を介して防護壁110に押付けられている。
【００１１】
本発明においては、インスペクションドア本体10には図4に示すように作業用開口部11が開けられており、該作業用開口部11を通して測温、サンプリング、ダーツ投入等の製錬補助作業が行えるようになっている。また、この作業用開口部11には片開きドア20が嵌合するようになっており、さらにこの片開きドア20が開かれた状態において作業用開口部11の前面を覆うように移動可能なスライドドア30が設けられている。上記インスペクションドア本体10及び片開きドア20の転炉側の面は水冷パネル15、25により冷却されるようになっている。以下、各構成部分について図面に基づき具体的に説明する。
【００１２】
図１に示すように、作業用開口部11は、インスペクションドア本体10のほぼ中央部に、転炉100を傾勤したときその炉口101がほぼ対向する位置に設ける。作業用開口部11の大きさは転炉炉口101よりも小さくてもよいが、測温、サンプリング及びダーツ式のスラグストッパ130を出鋼口102に投入するのに十分な大きさであることが必要である。具体的には、図６に示すダーツ式のスラグストッパ130の投入装置120（これは測温、サンプリングのためのプローブ投入装置を兼ねる）の移動軌跡に対して50から300m程度の余裕を持たせることが望ましい。
【００１３】
これは、投入装置120の停止精度が±20mm程度であるので、スラグストッパ130やプローブの投入に支障が生じないようにするには50mm以上の余裕が必要だからである。一方、余裕代が300mmを超えると、出鋼中の転炉100からの飛散物が作業用開口部11から外部（屋内）へ大量に噴出し、また、投入装置120が炉内からの輻射熱で変形や故障を生じやすくなる。このため余裕代は300mm以下とするのが好ましい。なおより好ましい余裕代は100〜200mmである。
【００１４】
図３に示すように、作業用開口部11には片開きドア20が取り付けられる。この片開きドア20は、作業用開口部11の近傍に設けたヒンジ24を介してインスペクショイドア本体10に取り付けられており、シリンダ60及びリンク機構65により、図４に示すように、矢印Ｂ方向に回転して作業用開口部11の開放、閉塞を自在に行うことができる。この片開きドア20は作業用開口部11に極力小さい隙間をもって嵌り合うようにすることが、隙間への地金の付着を防止し、さらには転炉の操業中におけるインスペクションドアの機密性を保持する上で好ましい。なお、片開きドア20の厚さはドア本体10と同等程度にすることもできるが、それより薄くして片開きドア20とインスペクションドア本体10との間に段差があってもよい。これらの境界部に堆積した地金などは片開きドアの開閉により剥落させることができるからである。
【００１５】
図３〜５に示すように、前記作業用開口部11の前面には、片開きドア20とは別個に、作業用開口部11前面を覆うように移動可能なスライドドア30が設けられる。このスライドドア30はその寸法が片開きドア20よりやや大きいものであって、インスペクションドア本体10に取りつけたレール75にローラ76を介して吊り下げられており、シリンダ70により矢印Ｃ方向に移動できるようになっている。
【００１６】
このスライドドア30は図４に示すように、片開きドア20が開かれた状態において作業用開口部11前面を覆うように構成されていればよく、インスペクションドア本体10との隙間は極力小さくしておくのがよい。これにより片開きドア20が開かれたときにスライドドア30が開口部11を覆うので、炉口101から放出される地金等の飛散を防止することができる。
【００１７】
このスライドドア30には観察窓31を設けることができる。この観察窓31は、転炉100の炉口101観察に便利な位置に任意に設けることができ、その大きさは転炉100の炉内が観察・点検できる程度でよい。たとえば、手動で簡単に開閉できる片開き窓を設ければ十分である。
【００１８】
上記インスペクションドア本体10及び片開きドア20の転炉側の面は、図４に示すように、それぞれ水冷パネル15、25により冷却されるようになっている。インスペクションドア本体10の水冷は、任意の手段を取ることもできるが、水冷パネル15の転炉100に向き合う面が面一になるようにするのがよい。たとえば、角パイプを密着配設して転炉に向き合う面を面一に仕上げるのがよい。これにより、インスペクションドア本体10に付着する地金やスラグを少なくすることができるとともに、後に説明する加振装置によって一旦付着した地金等を振るい落としやすくなる。
【００１９】
上述のように片開きドア20の転炉100に対向する面は水冷されるようになっているが、その大きさはインスペクションドア本体10に比較して相当に小さいので、水冷パネル25は転炉側の面がいわゆる面一になる程度の水冷ボックスとすればよく、インスペクションドア本体10に設けたようなメンプレン構造にしなくてもよい。
【００２０】
インスペクションドア本体10あるいは片開きドア20の転炉側面への地金やスラグの付着・堆積は、多くの場合上記のように水冷パネルを面一にすることによって防止することができる。しかし、操業中に水冷パネルに付着した地金やスラグが一旦付着するとそこを起点にして大きな堆積にいたる場合がある。そのような大きな堆積を防止するためには、付着初期の段階で地金などを剥落させる措置を取ることが肝要である。本発明では、かかる目的のため、インスペクションドア本体10に振動負荷を与えることができる加振装置を備えることとする。
【００２１】
この加振装置としては、インスペクションドア本体10を防護壁110に押しつけるシリンダ80に加振機構を付加したものを用いるのがよい。付加する振動は、例えば、振動数5〜100Hz、振幅0.5〜5mmのものが溶融金属の付着を防止するのによい。また、振動数10〜100Hz、振幅2〜5mmの振動は、付着した金属を剥落させるのに適している。
【００２２】
本発明に係る転炉インスペクションドアは表１に示すように各ドアの開閉を行って転炉の操業を行う。ここに示すように、溶鋼の飛散が激しい底吹ハイフロー時には片開きドア20を閉じて飛散する溶融金属等を片開きドア20で受けとめ、溶鋼の飛散が少ない底吹きローフロー時や空炉の間には片開きドア20を開き、スライドドア30のみで作業用開口部11を覆う。これにより転炉炉裏作業の効率向上を図ることができ、溶融金属、塵埃及び排気ガスの飛散をより少なくすることができる。
【００２３】
【表１】
2005264207.tif 000003
【００２４】
なお、本発明においては片開きドア20に従来のようなのぞき窓を設ける必要がないので、のぞき窓部を起点に溶融金属が付着するという不具合を回避することができる。また、水冷パネル25の構造を簡単にすることができる。
【図面の簡単な説明】
【００２５】
【図１】本発明に係る転炉設備全体の平面図である。
【図２】本発明に係る転炉設備全体の側面図である。
【図３】本発明に係るインスペクションドアの正面図である。
【図４】本発明に係るインスペクションドアの平面図である。
【図５】本発明に係るインスペクションドアの側面図である。
【図６】転炉にダーツを投入するときの状況を示す概念図である。
【符号の説明】
【００２６】
1：インスペクションドア
10：インスペクションドア本体
11：作業用開口部
15：水冷パネル
20：片開きドア
25：水冷パネル
30：スライドドア
31：観察窓
50：モータ
60：シリンダ
65：リンク機構
70：シリンダ
75：レール
76：ローラ
100：転炉
101：炉口
102：出鋼口
110：防護壁
120：投入装置
130：スラグストッパ
【図１】
2005264207.tif 000004
【図２】
2005264207.tif 000005
【図３】
2005264207.tif 000006
【図４】
2005264207.tif 000007
【図５】
2005264207.tif 000008
【図６】
2005264207.tif 000009